(57)【要約】【課題】駆動手段を有しない歩行体がシート上を音楽と共に自ら歩行するかの如く見える歩行体玩具を提供する。【解決手段】台車１には支持台５を備えさせ、該支持台には一対の透孔を形成し、各透孔の下方には取付アーム１１を上下方向に回動自在に配設し、各取付アームはばねの力により常時上方に付勢され、各取付アームには永久磁石を取り付け、各取付アームを電気モータにより下方に各別に回動させることにより各取付アームの永久磁石が各透孔に順次出没するようになし、該支持台を該電気モータにより水平方向に往復回動させ、該支持台上には不透明なシート４９を配設し、該シート上には各足５１の下端５３に該永久磁石により吸着される被吸着体５５を備えた歩行体５７を該歩行体の各被吸着体が該支持台の各透孔上に位置するように配設し、台車には前記電気モータにより作動するオルゴール６１を備えさせる。【選択図】図１
0003159440.tif 000002
【実用新案登録請求の範囲】
【請求項１】
車輪を有する台車には水平の支持台を備えさせ、該支持台には該支持台を上下に貫く一対の透孔を形成し、各透孔の下方には取付アームをそれぞれ上下方向に回動自在に配設し、各取付アームはばねの力により常時上方に付勢され、各取付アームには各透孔に対応させて永久磁石を取り付け、各取付アームを該台車に備えさせた電気モータにより下方に各別に回動させることにより各取付アームの永久磁石が各透孔に順次出没するようになし、該支持台を該電気モータにより水平方向に往復回動させ、該支持台上には不透明なシートを配設し、該シート上には左右一対の足の下端に該永久磁石により吸着される被吸着体を備えた歩行体を該歩行体の各被吸着体が該支持台の各透孔上に位置するように配設してなる歩行体玩具において、
前記台車には前記電気モータにより作動するオルゴールを備えさせたことを特徴とする歩行体玩具。
【考案の詳細な説明】
【技術分野】
【０００１】
本考案は、電気モータ、ゼンマイ等の駆動手段を有しない人形等の歩行体が不透明なシート上をあたかも自ら歩行するかの如くした歩行体玩具に関するものである。
【背景技術】
【０００２】
本出願人は、実開平１−１１２８９２号公報において、このような歩行体玩具（以下「従来の歩行体玩具」という。）を提供している。
【０００３】
従来の歩行体玩具は、車輪を有する台車には水平の支持台を備えさせ、該支持台には該支持台を上下に貫く一対の透孔を形成し、各透孔の下方には取付アームをそれぞれ上下方向に回動自在に配設し、各取付アームはばねの力により常時上方に付勢され、各取付アームには各透孔に対応させて永久磁石を取り付け、各取付アームを該台車に備えさせた電気モータにより下方に各別に回動させることにより各取付アームの永久磁石が各透孔に順次出没するようになし、該支持台を該電気モータにより水平方向に往復回動させ、該支持台上には不透明なシートを配設し、該シート上には左右一対の足の下端に該永久磁石により吸着される被吸着体を備えた歩行体を該歩行体の各被吸着体が該支持台の各透孔上に位置するように配設してなるものである。
【０００４】
従来の歩行体玩具においては、電気モータが作動していないときには、各取付アームはばねの力により上方の位置にあるため、各永久磁石は支持台の各透孔内に位置する。したがって、歩行体の各被吸着体はシートを介して各永久磁石に吸着された状態にある。電気モータにより一方の取付アームの永久磁石を透孔より下方に下げたときには、歩行体の一方の被吸着体は該永久磁石には吸着されず、当該一方の被吸着体を備えた足はシートから上方に離れ、歩行体の他方の被吸着体のみがシートを介して対応永久磁石に吸着される。換言すれば、歩行体の他方の被吸着体と対応永久磁石とが上下からシートを挟持する。この状態で、支持台が電気モータにより水平方向に回動したときには、一方の永久磁石は他方の永久磁石に対して前進又は後退した位置になる。このとき、一方の永久磁石が上昇して対応透孔内に位置し、歩行体の一方の被吸着体が当該一方の永久磁石に吸着され、他方の永久磁石が下降して歩行体の他方の被吸着体を吸着しない状態となり、当該他方の被吸着体を備えた足はシートから上方に離れる。したがって、歩行体は、あたかも各足を交互に出してシート上を自ら歩行するかの如く見える。因みに、台車は歩行体と共に移動するのであるが、不透明なシートの下方にあるため、上方からは見えない。
【先行技術文献】
【特許文献】
【０００５】
【特許文献１】実開平１−１１２８９２号公報
【考案の概要】
【考案が解決しようとする課題】
【０００６】
上述の如く、従来の歩行体玩具においては、歩行体は、電気モータ、ゼンマイ等の駆動手段を有しないにもかかわらず、シート上をあたかも自ら歩行するかの如く見えるため、玩具として面白いものである。
【０００７】
しかるに、上記従来の歩行体玩具においては、使用時に、聴覚上、電気モータ等の機械音のみが聞こえるという問題がある。
【０００８】
このような状況に鑑み、本考案は、電気モータ、ゼンマイ等の駆動手段を有しない歩行体がシート上を音楽と共に自ら歩行するかの如く見えるようにした歩行体玩具を提供しようとしてなされたものである。
【課題を解決するための手段】
【０００９】
上記課題を解決するために、本考案は、下記の歩行体玩具を提供するものである。
【００１０】
車輪を有する台車には水平の支持台を備えさせ、該支持台には該支持台を上下に貫く一対の透孔を形成し、各透孔の下方には取付アームをそれぞれ上下方向に回動自在に配設し、各取付アームはばねの力により常時上方に付勢され、各取付アームには各透孔に対応させて永久磁石を取り付け、各取付アームを該台車に備えさせた電気モータにより下方に各別に回動させることにより各取付アームの永久磁石が各透孔に順次出没するようになし、該支持台を該電気モータにより水平方向に往復回動させ、該支持台上には不透明なシートを配設し、該シート上には左右一対の足の下端に該永久磁石により吸着される被吸着体を備えた歩行体を該歩行体の各被吸着体が該支持台の各透孔上に位置するように配設してなる歩行体玩具において、
前記台車には前記電気モータにより作動するオルゴールを備えさせたことを特徴とする歩行体玩具。
【考案の効果】
【００１１】
本考案による歩行体玩具は、電気モータ、ゼンマイ等の駆動手段を有しない歩行体がオルゴールにより発せられる音楽と共にシート上を自ら歩行するかの如く見えるため、面白みが一層向上する。  
【図面の簡単な説明】
【００１２】
【図１】図１は、本考案による歩行体玩具の一例を示す側面図である。
【図２】図２は、同上歩行体玩具の平面図である。
【図３】図３は、同上歩行体玩具の一部を示す断面図である。
【図４】図４は、同上歩行体玩具における取付アームを示す正面図である。
【図５】図５は、支持台を電気モータにより水平方向に往復回動させるための伝動手段の一例を示す底面図である。
【図６】図６は、取付アームを電気モータにより下方に各別に回動させるための伝動手段の一部を示す正面図である。
【図７】図７は、本考案による歩行体玩具の使用状態の一例をシートを省略して示す平面図である。
【考案を実施するための形態】
【００１３】
符号１に示すものは歩行体玩具の台車である。符号２に示すものは台車１の基板である。台車１には回転自在の車輪３を備えさせる。図示の事例においては、台車１は３個の車輪３を備えているが、車輪３の数は随意である。
【００１４】
台車１には水平の支持台５を備えさせる。支持台５は、基板２上に立設した支軸７により水平方向に回動自在に支持されている。支持台５には該支持台５を上下に貫く左右一対の透孔９を形成する。
【００１５】
各透孔９の下方には取付アーム１１をそれぞれ上下方向に回動自在に配設する。符号１３に示すものは取付アーム１１を上下方向に回動自在に支持する水平方向の支軸である。各取付アーム１１はばね１５の力により常時上方に付勢されている。図３、図４参照。
【００１６】
各取付アーム１１には各透孔９に対応させて永久磁石１７を取り付ける。各取付アーム１１を台車１に備えさせた電気モータ１９により下方に各別に回動させることにより各取付アーム１１の永久磁石１７が各透孔９に順次出没するようになす。
【００１７】
すなわち、一例として、電気モータ１９の回転は、該電気モータ１９の出力軸２１に取り付けたウオーム２３と、ウオーム歯車２５と、歯車箱２７内の第一歯車群（図示せず。）と、クランク２９と、連結杆３１と、作動アーム３３と、トルクロッド３５とを介して、該トルクロッド３５の一端に取り付けられた押下板３７に伝えられる。押下板３７はトルクロッド３５と共に回動し、各取付アーム１１を下方に各別に回動させる。
【００１８】
取付アーム１１が下方に回動したときには、該取付アーム１１の永久磁石１７は透孔９から下方に離れる。各取付アーム１１は、押下板３７の回動に伴って該押下板３７による押下が解除されたときには、ばね１５の力により上方に回動して元の位置に戻り、その永久磁石１７を透孔９内における元の位置に戻す。
【００１９】
クランク２９が連続回転すると、該クランク２９に連結杆３１を介して連結されている作動アーム３３は往復回動する。
【００２０】
トルクロッド３５は、支承シリンダ３９により回動自在かつ進退自在に支承されている。トルクロッド３５は、ユニバーサルジョイント４１を備えている。
【００２１】
台車１に備えさせた水平の支持台５を電気モータ１９により水平方向に往復回動させる。
【００２２】
すなわち、一例として、電気モータ１９の回転は、該電気モータ１９の出力軸２１に取り付けたウオーム２３と、ウオーム歯車２５と、歯車箱２７内の第一歯車群（図示せず。）とを介して、基板２下方のクランク４３に伝えられる。該クランク４３が連続回転すると、該クランク４３に連結杆４５を介して連結されている作動アーム４７が往復回動する。該作動アーム４７は支持台５の支軸７に取り付けられており、該作動アーム４７が往復回動することにより、支持台５は水平方向に往復回動する。図５参照。
【００２３】
支持台５上には不透明なシート４９を配設する。シート４９は、一例として合成樹脂製シートとする。シート４９は、支持台５の上面に接触もしくは近接させた状態で配設する。なお、シート４９は、薄板体であってもよい。
【００２４】
シート４９上には左右一対の足５１の下端５３に前記永久磁石１７により吸着される被吸着体５５を備えた歩行体５７を該歩行体５７の各被吸着体５５が該支持台５の各透孔９上に位置するように配設する。被吸着体５５は、例えば、永久磁石又は鉄片とする。
【００２５】
歩行体５７は、一例として人形とするが、動物の姿を模したもの、いわゆるフィギュア、ロボットを模したもの等、その種類、形状等の如何を問わない。
【００２６】
しかして、本考案においては、前記台車１には前記電気モータ１９により作動するオルゴール６１を備えさせる。オルゴール６１には好ましくは拡音手段（図示せず。）を備えさせる。
【００２７】
オルゴール６１は、電気モータ１９により作動して自動的に楽曲を演奏するようにしたものであれば、如何なるものであってもよい。
【００２８】
図示のオルゴール６１は、電気モータ１９により回転するシリンダ６３の表面に多数のピン６５を植設し、該シリンダ６３の近傍には該シリンダ６３に臨む多数の金属片６７を櫛状に配設し、該ピン６５が各金属片６７を弾くようにしたものである。
【００２９】
すなわち、一例として、電気モータ１９の回転は、該電気モータ１９の出力軸２１に取り付けたウオーム２３と、ウオーム歯車２５と、歯車箱２７内の第一歯車群（図示せず。）と、第二歯車群６９とを介してシリンダ６３に伝えられる。
【００３０】
本考案による歩行体玩具においては、一例として図７に示すように、浅い円筒体７１の中央に柱体７３を立設し、台車１を紐状体７５を介して該柱体７３に連結した状態で配設し、不透明なシート４９を該円筒体７１の上面に張設し、該シート４９上に歩行体５７を前述の如く載置する。このとき、看者には不透明なシート４９の下方にある台車１は全く見えず、該シート４９上には歩行体５７のみが見える。
【００３１】
この状態において、使用者は適宜のスイッチ操作により電気モータ１９を作動させるのである。しかるときは、歩行体５７は、オルゴール６１により発せられる音楽と共にシート４９上を自ら歩行するかの如く見えるのである。なお、使用者がオルゴール６１による音を欲しないときには、適宜のスイッチ操作により、該オルゴール６１が作動しないようにしてもよい。
【００３２】
スイッチ操作により電気モータ１９を逆転させたときには、歩行体５７は後方に歩行するかの如く見える。
【００３３】
なお、本考案による歩行体玩具におけるオルゴール６１を除く部分は、前記従来の歩行体玩具と同じであり、前記従来の歩行体玩具と同様に作用する。
【符号の説明】
【００３４】
１  台車
２  基板
３  車輪
５  支持台
７  支軸
９  透孔
１１  取付アーム
１３  支軸
１５  ばね
１７  永久磁石
１９  電気モータ
２１  出力軸
２３  ウオーム
２５  ウオーム歯車
２７  歯車箱
２９  クランク
３１  連結杆
３３  作動アーム
３５  トルクロッド
３７  押下板
３９  支承シリンダ
４１  ユニバーサルジョイント
４３  クランク
４５  連結杆
４７  作動アーム
４９  シート
５１  足
５３  下端
５５  被吸着体
５７  歩行体
６１  オルゴール
６３  シリンダ
６５  ピン
６７  金属片
６９  第二歯車群
７１  円筒体
７３  柱体
７５  紐状体
【図１】
0003159440.tif 000003
【図２】
0003159440.tif 000004
【図３】
0003159440.tif 000005
【図４】
0003159440.tif 000006
【図５】
0003159440.tif 000007
【図６】
0003159440.tif 000008
【図７】
0003159440.tif 000009